(57)【特許請求の範囲】
【請求項１】
記録紙がロール状に巻かれた記録紙ロールから記録紙を搬送路に延出させて搬送する搬送手段と、前記搬送路に配置されて前記搬送手段により延出された記録紙を切断位置で切断するカッタ部と、一方向に移動する像担持体上に光書き込みによって静電潜像を形成する光書き込み手段、および前記静電潜像がトナーによって現像されたトナー像を画像記録位置で前記像担持体上から記録紙に転写する転写手段を備えた画像記録部と、前記搬送手段によって搬送されてきた記録紙を保持し、前記画像記録部による画像記録開始時に記録紙が前記画像記録位置に到達するように記録紙の搬送を開始するレジストローラ対と、搬送路で記録紙の先端を検知するレジストスイッチとを備えた画像記録装置において、
前記レジストスイッチを、前記搬送路における前記レジストローラ対の下流側近傍で、かつ前記画像記録位置の上流側に配置し、
前記レジストスイッチから記録紙先端の検知信号を受けて、前記レジストローラ対の回転を一旦停止させて、該レジストローラ対により記録紙の先端部を保持させ、かつ前記光書き込み手段により像担持体への光書き込みを開始させる制御手段を備えたことを特徴とする画像記録装置。
【請求項２】
前記制御手段が、前記レジストスイッチからの検知信号に同期させて前記光書き込み手段により像担持体への光書き込みを開始させ、かつ前記レジストローラ対により画像記録位置への記録紙の搬送を再開させることを特徴とする請求項１記載の画像記録装置。
【発明の詳細な説明】
【０００１】
【発明の属する技術分野】
本発明は、複写機，プリンタ，ファクシミリ等の記録紙に画像を記録する画像記録装置に関するものである。
【０００２】
【従来の技術】
従来、この種の画像記録装置、例えば複写機の中には、図３に示すように給紙装置１内にセットした記録紙ロールＰから記録紙Ｓを延出させ、カッタ部２を通して記録装置本体３内の画像記録部４に送りこみ、この画像記録部４により記録紙Ｓに画像を記録するとともに、記録紙ロールＰが予め設定された長さになったところでこの記録紙Ｓをカッタ部２で切断するものがある。
【０００３】
画像記録部４では、像担持体である感光体ドラム５が矢印方向に回転するとともに、光書き込みユニット６が前記感光体ドラム５をレーザ光Ｌによって走査することにより感光体ドラム５上には静電潜像が形成される。この感光体ドラム５上の静電潜像は現像器７によってトナー像に現像されて、感光体ドラム５の回転により画像記録位置Ｒに移動する。
【０００４】
一方、複数の搬送ローラ８，９，10によって記録装置本体３内に送りこまれた記録紙Ｓは、その先端がレジストスイッチ11によって検知され、レジストスイッチ11は、記録紙Ｓの先端を検知したタイミングで図示を省略した制御部に検知信号を出力する。制御部は、レジストスイッチ11からの検知信号が入力した時から設定時間経過後に搬送ローラ８，９，10を停止させることにより、記録紙Ｓの先端をレジストローラ対12の挾持部に当接させて停止させる。
【０００５】
制御部は、記録紙Ｓの搬送路でレジストローラ対12の上流側に配置されたレジストスイッチ11からの検知信号を基準として所定のタイミングで、感光体ドラム５への静電潜像の形成を開始させ、かつレジストローラ対12によって先端が保持されている記録紙Ｓをレジストローラ対12によって搬送開始させることにより、感光体ドラム５上のトナー像の先端と記録紙Ｓの先端とを画像記録位置Ｒで一致させる。
【０００６】
画像記録位置Ｒでは、転写器13が、トナー像に対して静電的な吸着力を作用させることにより、トナー像を一定の線速度で回転する感光体ドラム５からレジストローラ対12によって前記線速度と等しい速度で搬送されている記録紙Ｓに転写させる。トナー像が転写された記録紙Ｓは、定着器14に搬送されて定着器14によってトナー像が定着された後に、排紙トレー15上に排紙される。
【０００７】
【発明が解決しようとする課題】
ところで、上記したように延出させた記録紙Ｓをカッタ部２で切断する際には、記録紙搬送手段を構成する搬送ローラ対８，９，10を停止させておく必要がある。
【０００８】
しかしながら、カッタ部２から画像記録位置Ｒまでの距離が短いと、カッタ部２で切断する前に記録紙Ｓの先端が画像記録位置Ｒに到達してしまう。このため、記録紙Ｓをカッタ部２から画像記録位置Ｒまでよりも長い長さに切断しようとすると、感光体ドラム５から記録紙Ｓへトナー像の転写を開始した後に、感光体ドラム５，記録紙Ｓ及びトナー像の転写を一旦停止させて記録紙Ｓを切断しなければならず、このように転写途中に記録紙Ｓを停止させた後に転写を再開したときには、搬送停止の前後でのトナー像を完全に整合させることができないためにトナー像に異常が発生して画質が低下してしまう。
【０００９】
また、記録紙Ｓの先端を画像記録位置Ｒに対して一定の位置に位置決めするため、制御部は、レジストスイッチ11からの検知信号が入力した時から設定時間経過後に搬送ローラ対８，９，10を停止させて、記録紙Ｓの先端をレジストローラ対12の挾持部に当接させる。しかしながら、記録紙Ｓは、紙質や、記録紙Ｓが記録紙ロールＰの外周部に巻かれていたか、あるいは内周部に巻かれていたか等によって先端部のカールの状態が異なる。このため、レジストスイッチ11からの検知信号が入力した時から設定時間経過後に搬送ローラ対８，９，10を停止させた場合には、記録紙Ｓの先端部のカール状態に応じてカッタ部２からレジストローラ対12までに延出された記録紙Ｓの全長が変化するので、カッタ部２で記録紙Ｓを正確に設定された長さに切断することができないという問題が生じる。
【００１０】
本発明の目的は、上記の問題を解決するため、画像記録位置での記録紙の搬送を停止させることなく、記録紙ロールから延出された記録紙を切断位置から画像記録位置までの距離よりも長く切断することを可能にし、かつ先端部のカール状態が変化することにより記録紙の切断長に誤差が発生することを防止できる画像記録装置を提供することにある。
【００１１】
【課題を解決するための手段】
上記の課題を解決するため、請求項１に記載の画像記録装置は、記録紙がロール状に巻かれた記録紙ロールから記録紙を搬送路に延出させて搬送する搬送手段と、前記搬送路に配置されて前記搬送手段により延出された記録紙を切断位置で切断するカッタ部と、一方向に移動する像担持体上に光書き込みによって静電潜像を形成する光書き込み手段、および前記静電潜像がトナーによって現像されたトナー像を画像記録位置で前記像担持体上から記録紙に転写する転写手段を備えた画像記録部と、前記搬送手段によって搬送されてきた記録紙を保持し、前記画像記録部による画像記録開始時に記録紙が前記画像記録位置に到達するように記録紙の搬送を開始するレジストローラ対と、搬送路で記録紙の先端を検知するレジストスイッチとを備えた画像記録装置において、前記レジストスイッチを、前記搬送路における前記レジストローラ対の下流側近傍で、かつ前記画像記録位置の上流側に配置し、前記レジストスイッチから記録紙先端の検知信号を受けて、前記レジストローラ対の回転を一旦停止させて、該レジストローラ対により記録紙の先端部を保持させ、かつ前記光書き込み手段により像担持体への光書き込みを開始させる制御手段を備えたことを特徴とする。
【００１２】
さらに、請求項２に記載の画像記録装置は、前記制御手段が、前記レジストスイッチからの検知信号に同期させて前記光書き込み手段により像担持体への光書き込みを開始させ、かつ前記レジストローラ対により画像記録位置への記録紙の搬送を再開させることを特徴とする。
【００１３】
【発明の実施の形態】
以下、本発明の実施の形態を図面に基づいて説明する。
【００１４】
図１は本発明の画像形成装置の一実施形態による複写機の概略構成図、図２は本実施形態の複写機における搬送路の構成図である。図中符号20は複写機の記録装置本体であり、記録装置本体20の下側には給紙装置30を備える。そして、記録装置本体20では、画像記録部21によって給紙装置30から供給された記録紙Ｓ上に画像を記録する。
【００１５】
画像記録部21では、像担持体である感光体ベルト22が矢印方向に移動するとともに、光書き込みユニット23が前記感光体ベルト22をレーザ光Ｌによって走査することにより感光体ベルト22上には静電潜像が形成される。この感光体ベルト22の移動速度は、光書き込みユニット23により副走査方向において静電潜像が形成される速度に一致するように設定されている。感光体ベルト22上の静電潜像は、現像器24によってトナー像に現像されて感光体ベルト22の移動により画像記録位置Ｒに移動する。
【００１６】
一方、給紙装置30では、ピックアップローラ31，フィードローラ32，中継ローラ33及び搬送ローラ34と、ローラ31〜34にそれぞれ圧接した４本の加圧ローラ35とによって搬送手段が構成されており、ピックアップローラ31及び加圧ローラ35は、記録紙ロールＰから記録紙Ｓをガイド板等によって構成された搬送路に延出させ、ローラ32〜34及び加圧ローラ35は、搬送路に延出された記録紙Ｓを記録装置本体20に給紙する。また、カッタ部38は、図示を省略した制御手段から切断信号を受けて切断位置Ｃにおいて記録紙Ｓを切断する。
【００１７】
ここで、フィードローラ32，中継ローラ33及び搬送ローラ34の回転速度を、それぞれＶ１，Ｖ２及びＶ３とすると、図示を省略したローラ32〜34の駆動機構は、所定強度以下の負荷状態では、回転速度がＶ１＝Ｖ３＞Ｖ２の関係になるようにローラ32〜34を回転させる。このようにフィードローラ32に対して中継ローラ33を低速で回転させることにより、記録紙Ｓには、その先端が搬送ローラ34に到達したタイミングでフィードローラ32と中継ローラ33との間で、ローラ32，33の速度差に対応する長さを有するたるみが形成される。また、中継ローラ33は、図示を省略したワンウェイクラッチを介して駆動機構によって駆動されることにより、記録紙Ｓが搬送ローラ34によって挾持された後は、回転速度がＶ３となってフィードローラ32と等速度で回転する。このことにより、フィードローラ32と中継ローラ33との間のたるみ部36に形成された記録紙Ｓのたるみは一定の長さに保持される。
【００１８】
たるみ部36においては、下側のガイド板37がマイラ等の弾性を有する材料によて形成され、このガイド板37は、搬送方向で下流側の端部のみが固定されて片持ち状態で支持されている。このことにより、たるみ部36で記録紙Ｓにたるみが形成された場合には、ガイド板37は、記録紙Ｓに押圧されて下方にたわんだ状態で記録紙Ｓをガイドし、また、たるみ部36での記録紙Ｓのたるみが消失した場合及びたるみ部36に記録紙Ｓが通紙していない場合には、図中２点鎖線によって示す位置に復元する。
【００１９】
次に、本実施形態における記録紙Ｓに対する搬送動作及び画像の記録動作について説明する。カッタ部38によって切断された記録紙Ｓの先端側は、搬送ローラ34及び加圧ローラ35によって記録装置本体20内でガイド板25等によって構成された搬送路に給紙される。この搬送路には、レジストローラ対26及びレジストスイッチ27が配置され、レジストスイッチ27は、レジストローラ対26の下流側でレジストローラ対26に近接した位置に配置されている。記録装置本体20の搬送路に給紙された記録紙Ｓは、先端部がレジストローラ対26の挾持部に挿入されてレジストローラ対26により搬送が継続される。そして、記録紙Ｓは、先端部がレジストローラ対26から送りだされると、その先端によってレジストスイッチ27をオンさせる。
【００２０】
レジストスイッチ27は、記録紙Ｓの先端によってオンしたタイミングで、検知信号を図示を省略した制御手段に出力する。制御手段は、レジストスイッチ27からの検知信号が入力したタイミングでレジストローラ対26の回転を一旦停止させて、レジストローラ対26により記録紙Ｓの先端部を保持させる。また、制御手段は、レジストスイッチ27からの検知信号に同期させて、所定のタイミングで光書き込みユニット23及び感光体ベルト22の駆動をそれぞれ開始させることにより感光体ベルト22に対する静電潜像の形成を開始させる。この静電潜像は、レーザ光Ｌによる静電潜像の書き込み位置Ｗと画像記録位置Ｒとの間で現像器24によってトナー像に現像される。
【００２１】
ここで、書き込み位置Ｗから画像記録位置Ｒまでの感光体ベルト22の長さは、レジストスイッチ27から画像記録位置Ｒまでの搬送路の長さより長く設定され、また転写時には感光体ベルト22の移動速度とレジストローラ対26による記録紙Ｓの搬送速度とは等しくなるように設定されている。制御手段は、感光体ベルト22上の静電潜像の先端から画像記録位置Ｒまでの距離がレジストスイッチ27から画像記録位置Ｒまでの搬送路の長さと等しくなるタイミングで、レジストローラ対26の回転を開始させる。このことにより、感光体ベルト22上のトナー像の先端と記録紙Ｓの画像形成領域の先端とを画像記録位置Ｒで一致させることができる。
【００２２】
画像記録位置Ｒでは、転写器が、トナー像に対して静電的な吸着力を作用させることにより、トナー像を一定の速度で移動する感光体ベルト22からレジストローラ対26によって感光体ベルト22の速度と等しい速度で搬送されている記録紙Ｓに転写する。トナー像が転写された記録紙Ｓは、定着器29に搬送されてトナー像が定着された後に装置外部に排紙される。
【００２３】
以上説明した本実施形態の複写機によれば、レジストスイッチ27を、搬送路でレジストローラ対26の下流側で、かつ画像記録位置Ｒの上流側に配置したことにより、記録紙Ｓの先端部がレジストローラ対26によって保持された状態で、かつロールしていた記録紙Ｓがレジストローラ対26によってカールが矯正された後にレジストスイッチ27によって検知されるので、紙質や、記録紙ロールＰの外周部に巻かれていたか、あるいは内周部に巻かれていたか等によって記録紙ロールＰから延出された記録紙Ｓの先端部のカール状態が異なる場合でも、記録紙Ｓの先端部のカール状態の影響を受けることなく、カッタ部3 8の切断位置Ｃからレジストスイッチ27までに延出された記録紙の全長が常に一定になって、カッタ部38で記録紙Ｓを正確に所望の長さに切断することができる。
【００２４】
さらに、制御手段が、レジストローラ対26の下流側に配置されたレジストスイッチ27からの検知信号に同期させて光書き込みユニット23により感光体ベルト22への光書き込みを開始させ、かつレジストローラ対26により画像記録位置Ｒへの記録紙Ｓの搬送を開始させることにより、記録紙Ｓの先端部のカール状態の影響を受けることなく、感光体ベルト22上のトナー像の先端と記録紙Ｓの画像形成領域の先端とを画像記録位置Ｒで正確に一致させることができるので、記録紙Ｓにおいて転写画像が所定の画像形成領域の位置からずれることを防止できる。
【００２５】
【発明の効果】
以上説明したように、請求項１に記載の画像記録装置によれば、レジストスイッチを、搬送路におけるレジストローラ対の下流側近傍で、かつ画像記録位置の上流側に配置したことにより、記録紙の先端部がレジストローラによって保持された状態で、かつレジストローラによって記録紙の先端部のカールが矯正された後にレジストスイッチによって検知されるので、紙質や、記録紙ロールの外周部に巻かれていたか、あるいは内周部に巻かれていたか等によって記録紙ロールから延出された記録紙の先端部のカール状態が異なる場合でも、記録紙の先端部のカール状態の影響を受けることなく、切断位置からレジストスイッチまでに延出された記録紙の全長が常に一定になって、カッタ部により記録紙を正確に所望の長さに切断することができる。しかも、レジストスイッチから記録紙先端の検知信号を受けて、レジストローラ対の回転を一旦停止させて、該レジストローラ対により記録紙の先端部を保持させ、かつ光書き込み手段により像担持体への光書き込みを開始させることにより、像担持体上の書き込み像の先端と記録紙の画像形成領域の先端とを、画像記録位置において安定して一致させることができる。
【００２６】
さらに、請求項２に記載の画像記録装置によれば、制御手段が、レジストローラ対の下流位置に配置されたレジストスイッチからの検知信号に同期させて光書き込み手段により像担持体への光書き込みを開始させ、かつレジストローラ対により画像記録位置への記録紙の搬送を再開させることにより、記録紙の先端部のカール状態の影響を受けることなく、像担持体上のトナー像の先端と記録紙の画像形成領域の先端とを画像記録位置で正確に一致させることができるので、記録紙において転写画像が所定の画像形成領域の位置からずれることを防止できる。
【図面の簡単な説明】
【図１】本発明の画像形成装置の一実施形態による複写機の概略構成図である。
【図２】本実施形態の複写機における搬送路の構成図である。
【図３】従来の複写機の概略構成図である。
【符号の説明】
20…記録装置本体、  21…画像記録部、  22…感光体ベルト、  23…光書き込みユニット、  26…レジストローラ対、  27…レジストスイッチ、  30…給紙装置、  31…ピックアップローラ、  32…フィードローラ、  33…中継ローラ、  34…搬送ローラ、  35…加圧ローラ、  36…たるみ部、  37…ガイド板、  38…カッタ部、  Ｐ…記録紙ロール、  Ｓ…記録紙、  Ｃ…切断位置、  Ｒ…画像記録位置。
【図１】
0003589768.tif 000002
【図２】
0003589768.tif 000003
【図３】
0003589768.tif 000004